(57)【特許請求の範囲】
【請求項１】
電話回線を介して音声通話を行う音声通話部と、
前記電話回線を介してリング信号を検出するリング検出部と、
前記電話回線の信号を整流する整流ブリッジ部と、
前記整流ブリッジ部によって整流された直流を保持する直流保持部と、
前記直流保持部のインピーダンスを、第１の電流値のときにフックアップを検出するための第１のインピーダンス値、又は前記第１のインピーダンス値より大きい、第２の電流値のときに前記フックアップを検出するための第２のインピーダンス値のいずれかに切替えるインピーダンス切替部と、
前記電話回線から前記音声通話部に流れる電流によって、前記音声通話部のフックアップを検出するフックアップ検出部と、
前記リング信号の検出の後、前記第１のインピーダンス値により前記フックアップを検出させ、更に、前記フックアップが一定期間検出されなかったならば、前記第２のインピーダンス値により前記フックアップを検出させる通信制御部と、
を有することを特徴とするファクシミリ装置。
【請求項２】
前記通信制御部は、
現在のインピーダンス設定値を保持し、前記フックアップが一定期間検出されなかったならば、前記現在のインピーダンス設定値より高いインピーダンス値に変更することを特徴とする請求項１記載のファクシミリ装置。
【請求項３】
前記通信制御部は、
前記電話回線の直流特性を保持する回線直流抵抗値保持部を有し、
前記インピーダンス切替部は、前記直流特性に対応した前記第１のインピーダンス値、又は前記第２のインピーダンス値のいずれか１つに切替えることを特徴とする請求項２記載のファクシミリ装置。
【請求項４】
前記通信制御部は、
前記電話回線の電圧及び電流を検出し、この電圧検出結果及び電流検出結果と規格電圧及び規格電流とをそれぞれ比較し、前記規格電圧及び前記規格電流内になるようなインピーダンス値に切替えさせることを特徴とする請求項１記載のファクシミリ装置。
【請求項５】
前記通信制御部は、
前記直流保持部に発生する電圧値と前記直流保持部のインピーダンスから前記電話回線に流れる電流を算出し、前記電話回線の前記規格電流の下限よりも低電流か否かを判断する回線規格判断部を有し、
前記インピーダンス切替部は、
前記直流保持部のインピーダンスを、前記第１のインピーダンス値、前記第２のインピーダンス値、又は前記第２のインピーダンス値より大きい、第３の電流値のときに前記フックアップを検出するための第３のインピーダンス値のいずれか１つに切替える機能を有し、
前記通信制御部は、
前記リング信号の検出の後、前記第１のインピーダンス値により前記フックアップを検出させ、
更に、前記フックアップが一定期間検出されない場合において、前記フックアップを検出するために前記電話回線に流れる電流が前記電話回線における前記規格電流の下限よりも少ないならば、前記第３のインピーダンス値により前記フックアップを検出させ、前記電話回線に流れる電流が前記電話回線における前記規格電流の下限よりも多いならば、前記第２のインピーダンス値により前記フックアップを検出させることを特徴とする請求項４記載のファクシミリ装置。
【請求項６】
前記通信制御部は、
前記電話回線の直流特性を保持する回線直流抵抗値保持部を有し、
前記インピーダンス切替部は、前記直流特性に対応した前記第１のインピーダンス値、前記第２のインピーダンス値、又は前記第３のインピーダンス値のいずれか１つに切替えることを特徴とする請求項５記載のファクシミリ装置。
【請求項７】
前記音声通話部は、外付の電話機であることを特徴とする請求項１〜６のいずれか１項に記載のファクシミリ装置。
【請求項８】
前記通信制御部は、
前記リング信号の検出の後、前記第１のインピーダンス値により前記フックアップを検出させ、
更に、前記フックアップが一定期間検出されない場合において、自ら呼出音を鳴動することを特徴とする請求項７記載のファクシミリ装置。
【発明の詳細な説明】
【技術分野】
【０００１】
本発明は、電話機能とファクシミリ機能の自動切替モードを有するファクシミリ装置に関するものである。
【背景技術】
【０００２】
従来、電話機能とファクシミリ機能の自動切替モードを有するファクシミリ装置では、回線電流をフォトカプラ等で検出して外付電話機のフックアップを検出する技術が知られている。
【０００３】
特許文献１には、呼出信号送出中のフックアップ検知を、呼出信号発生部の過電流検知部を用いて行う技術が記載されている。
【先行技術文献】
【特許文献】
【０００４】
【特許文献１】特開平８−３０７５５５号公報
【発明の概要】
【発明が解決しようとする課題】
【０００５】
しかしながら、従来のファクシミリ装置では、中継局からファクシミリ装置までの距離が遠い等の理由によって回線電流が少なくなると、外付電話機のフックアップが検出できなくなる課題があった。
【課題を解決するための手段】
【０００６】
本発明のファクシミリ装置は、電話回線を介して音声通話を行う音声通話部と、前記電話回線を介してリング信号を検出するリング検出部と、前記電話回線の信号を整流する整流ブリッジ部と、前記整流ブリッジ部によって整流された直流を保持する直流保持部と、前記直流保持部のインピーダンスを、第１の電流値のときにフックアップを検出するための第１のインピーダンス値、又は前記第１のインピーダンス値より大きい、第２の電流値のときに前記フックアップを検出するための第２のインピーダンス値のいずれかに切替えるインピーダンス切替部と、前記電話回線から前記音声通話部に流れる電流によって、前記音声通話部のフックアップを検出するフックアップ検出部と、前記リング信号の検出の後、前記第１のインピーダンス値により前記フックアップを検出させ、更に、前記フックアップが一定期間検出されなかったならば、前記第２のインピーダンス値により前記フックアップを検出させる通信制御部と、を有している。
【発明の効果】
【０００７】
本発明のファクシミリ装置によれば、リング信号検出後に一定時間が経過しても外付電話機のフックアップが検出されなかったならば、直流保持部のインピーダンスを上げることにより、回線の電流が少ない場合でも外付電話機のフックアップを確実に検出できる。
【図面の簡単な説明】
【０００８】
【図１】図１は、本発明の実施例１におけるファクシミリ装置のインピーダンス切替部及び直流保持部を示す概略の構成図である。
【図２】図２は、本発明の実施例１におけるファクシミリ装置と回線網の接続を示す概略図である。
【図３】図３は、本発明の実施例１におけるファクシミリ装置の回線制御部を示す概略の構成図である。
【図４】図４は、選択抵抗７１−１，７２−１の場合の直流保持部の特性を示す図である。
【図５】図５は、選択抵抗７１−２，７２−２の場合の直流保持部の特性を示す図である。
【図６】図６は、選択抵抗７１−３，７２−３の場合の直流保持部の特性を示す図である。
【図７】図７は、選択抵抗７１−４，７２−４の場合の直流保持部の特性を示す図である。
【図８】図８は、図３の回線制御部における第１の直流ループを示す図である。
【図９】図９は、図３の回線制御部における第１の直流ループと第２の直流ループを示す図である。
【図１０】図１０は、本発明の実施例１におけるタイムチャートを示す図である。
【図１１】図１１は、本発明の実施例１におけるファクシミリ装置の通信制御部の動作を示すフローチャートである。
【図１２】図１２は、本発明の実施例２におけるファクシミリ装置の回線制御部を示す概略の構成図である。
【図１３】図１３は、図１２のインピーダンス切替部と直流保持部を示す概略の構成図である。
【図１４】図１４は、選択抵抗７１−１〜７３−１の場合の直流保持部の特性を示す図である。
【図１５】図１５は、選択抵抗７１−２〜７３−２の場合の直流保持部の特性を示す図である。
【図１６】図１６は、選択抵抗７１−３〜７３−３の場合の直流保持部の特性を示す図である。
【図１７】図１７は、選択抵抗７１−４〜７３−４の場合の直流保持部の特性を示す図である。
【図１８】図１８は、本発明の実施例２におけるタイムチャートを示す図である。
【図１９】図１９は、本発明の実施例２におけるファクシミリ装置の通信制御部の動作を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図２は、本発明の実施例１におけるファクシミリ装置と回線網の接続を示す概略図である。
【００１１】
ファクシミリ装置１０は、電話機能とファクシミリ機能の自動切替モードを有する通信端末であり、例えばファクシミリや、ファクシミリ機能とコピー機能とを有しているＭＦＰ（Multi  Function  Printer）等である。ファクシミリ装置１０は、外付電話機２００に接続されると共に、電話回線（以下、「回線」という。）１００を介して回線網１０１に接続されている。外付電話機２００は、図示しない相手側の通信端末と音声の送受信を行う音声通話部である。
【００１２】
ファクシミリ装置１０は、回線網１０１及び外付電話機２００を制御する回線制御部１１と、原稿の画像を読み取るスキャナ部１２と、画像を記録媒体に印刷する印刷部１３とを有している。
【００１３】
回線制御部１１は、回線１００を介して回線網１０１と接続されると共に、外付電話機２００と、スキャナ部１２と、印刷部１３とが接続されている。スキャナ部１２には、印刷部１３が接続されている。
【００１４】
ファクシミリ装置１０のファクシミリ動作モードにおいて、スキャナ部１２で読み取った原稿は、ファクシミリ・データに変換されたのちに回線制御部１１と回線網１０１を介して図示しない相手側の通信端末に送信される。図示しない相手側の通信端末から回線網１０１を介してファクシミリ・データが送られてきたならば、回線制御部１１を介して印刷部１３で印刷される。ファクシミリ装置１０のコピー動作モードにおいて、原稿はスキャナ部１２で読み取られたのちに印刷部１３で印刷される。
【００１５】
図示しない相手側の電話機から回線網１０１を介して音声通話のリング信号が発信されたならば、回線制御部１１は、外付電話機２００のフックアップを待ち、外付電話機２００がフックアップされたならば、外付電話機２００と図示しない相手側の電話機との間で音声通話が開始する。
【００１６】
図３は、本発明の実施例１におけるファクシミリ装置の回線制御部を示す概略の構成図である。
【００１７】
回線制御部１１は、通信制御部２０と、モデム３０と、半導体データアクセス装置（以下、「シリコンＤＡＡ（Data  Access  Arrangement）」という。）５０と、モデム３０とシリコンＤＡＡ５０との間で信号を送受信する絶縁受渡部４０と、シリコンＤＡＡ５０と回線１００との間で信号を送受信する絶縁受渡部６１と、回線１００の信号を直流信号に変換するダイオードブリッジ６０と、この直流信号を保持する直流保持部６２と、外付電話機２００と回線１００との間の接続と非接続を切替えるリレー６４と、外付電話機２００がフックアップされたか否かを検知する外付電話フックアップ検出部６３と、外付電話フックアップ検出部６３が検出した信号を通信制御部２０に通知するフォトカプラ６５とを備えている。
【００１８】
通信制御部２０は、回線直流抵抗値保持部２１と、回線直流抵抗値決定部２２と、リング検出判断部２３と、タイマ２７と、外付電話フックアップ判断部２４とを有しており、この回線制御部１１全体を制御する機能を有している。
【００１９】
回線直流抵抗値保持部２１の出力側は、回線直流抵抗値決定部２２の入力側に接続されている。回線直流抵抗値保持部２１は、直流保持部６２における抵抗値を保持する機能を有している。
【００２０】
リング検出判断部２３はモデム３０と接続されており、リング検出判断部２３の出力側はタイマ２７と接続されている。リング検出判断部２３は、回線１００上のリング信号１１０をシリコンＤＡＡ５０及びモデム３０を介して受信し、このリング信号１１０のオン／オフの時間の判定によって、リング信号１１０として正しいか否かを判断する。
【００２１】
タイマ２７の入力側は、リング検出判断部２３の出力側と接続されている。タイマ２７の出力側は、回線直流抵抗値決定部２２の入力側に接続されている。タイマ２７は、リング検出判断部２３がリング信号１１０を検出したときにスタートし、タイマ２７がタイムアウトしたときに、回線直流抵抗値決定部２２にタイムアウト情報を通知する。
【００２２】
回線直流抵抗値決定部２２の入力側は、回線直流抵抗値保持部２１の出力側とタイマ２７の出力側に接続されている。回線直流抵抗値決定部２２の出力側は、モデム３０と接続されている。回線直流抵抗値決定部２２は、タイマ２７からタイムアウトが通知されたとき、回線直流抵抗値保持部２１が保持していた抵抗値をシリコンＤＡＡ５０に通知する機能を有している。
【００２３】
外付電話フックアップ判断部２４の入力側は、フォトカプラ６５の出力側に接続されており、外付電話フックアップ判断部２４の出力側は、モデム３０と接続されている。外付電話フックアップ判断部２４は、フォトカプラ６５を介して外付電話フックアップ検出部６３の情報を得て、直流保持部６２に流れる電流を切断する機能を有している。
【００２４】
モデム３０は、制御インタフェース（以下、「Ｉ／Ｆ」という）３１と、Ｉ／Ｆ３２とを有している。制御Ｉ／Ｆ３１は、通信制御部２０とＩ／Ｆ３２とに接続されている。Ｉ／Ｆ３２は、更に絶縁受渡部４０を介してシリコンＤＡＡ５０に接続されている。モデム３０は、シリコンＤＡＡ５０を介して回線１００からの信号を通信制御部２０に送信する機能と、通信制御部２０からの信号を絶縁受渡部４０及びシリコンＤＡＡ５０を介して回線１００に送信する機能とを有している。
【００２５】
絶縁受渡部４０は、通信制御部２０とモデム３０とを回線１００及びシリコンＤＡＡ５０から直流的に分離すると共に、モデム３０とシリコンＤＡＡ５０との間で信号を送受信する機能を有している。絶縁受渡部４０は、モデム３０のＩ／Ｆ３２及びシリコンＤＡＡ５０のＩ／Ｆ５１と接続されている。
【００２６】
シリコンＤＡＡ５０は、Ｉ／Ｆ５１と、リング検出部５２と、直流ループ切替部５３と、回線電流制御部５４と、インピーダンス切替部５５とを有しており、回線１００とモデム３０との間で信号を送受信する機能を有している。
【００２７】
Ｉ／Ｆ５１は、一方が絶縁受渡部４０に接続され、他方がリング検出部５２の出力側と、直流ループ切替部５３と回線電流制御部５４の入力側に接続されている。Ｉ／Ｆ５１は、回線１００からの信号を、絶縁受渡部４０を介してモデム３０へ送信し、絶縁受渡部４０を介して受信したモデム３０からの信号を、回線１００へ送信するインタフェースである。
【００２８】
リング検出部５２の入力側は、絶縁受渡部６１を介して回線１００に接続されている。リング検出部５２の出力側は、Ｉ／Ｆ５１に接続されている。リング検出部５２は、回線１００からのリング信号１１０を検出し、検出結果をＩ／Ｆ５１と絶縁受渡部４０とモデム３０を介してリング検出判断部２３に送信する機能を有している。
【００２９】
直流ループ切替部５３の入力側は、Ｉ／Ｆ５１に接続されている。直流ループ切替部５３の出力側は、直流保持部６２と接続されている。直流ループ切替部５３は、リング検出判断部２３から指示を受けて、直流保持部６２に電流を流すか否かを切替えることにより、第１の直流ループ８１を形成するか否かを切替える機能を有している。
【００３０】
回線電流制御部５４の入力側はＩ／Ｆ５１に接続され、出力側はインピーダンス切替部５５に接続されている。回線電流制御部５４は、回線直流抵抗値決定部２２から指示を受けて、インピーダンス切替部５５に対してインピーダンスの切替を指示する機能を有している。
【００３１】
インピーダンス切替部５５の出力側は直流保持部６２に接続されている。インピーダンス切替部５５は、回線電流制御部５４の制御信号により選択抵抗７１−１〜７２−４のいずれか１つをグランドに接続する機能を有している。
【００３２】
直流保持部６２は、回線１００の電流を保持するために、ダイオードブリッジ６０のプラス端子からインピーダンス切替部５５を介してグランドに接続されている。直流保持部６２の入力側は、直流ループ切替部５３の出力側に接続されている。直流保持部６２は、直流ループ切替部５３から電流を流すか否かをの指示を受けることにより、第１の直流ループ８１を形成するか否かを切替える機能を有している。
【００３３】
絶縁受渡部６１は、一方が回線１００に接続されており、他方がシリコンＤＡＡ５０のリング検出部５２に接続されている。絶縁受渡部６１は、回線１００の直流成分をカットしてリング検出部５２に回線１００の交流成分のみを供給する機能を有している。
【００３４】
ダイオードブリッジ６０は、Ａ端子とＢ端子とが回線１００に、プラス端子が直流保持部６２に、マイナス端子がグランドに接続されている。ダイオードブリッジ６０は、Ａ端子及びＢ端子からプラス端子の方向にダイオードが接続されていると共に、マイナス端子からＡ端子及びＢ端子の方向にダイオードが接続されている。ダイオードブリッジ６０は、回線１００の極性を直流保持部６２に合わせるもので、回線１００の極性反転に関わらず、直流保持部６２には常に直流が供給される機能を有している。ダイオードブリッジ６０は、回線１００を整流する整流ブリッジ部である。
【００３５】
リレー６４は、２端子からなる信号線を接続するか否かを切替える機能を有している。リレー６４の一方の２端子は、それぞれ回線１００に接続されており、他方の２端子は外付電話フックアップ検出部６３を介して外付電話機２００に接続されている。
【００３６】
リレー６４は、ファクシミリ装置１０が待機状態の場合には、外付電話機２００と回線１００とを接続状態とし、ファクシミリ通信の場合には、外付電話機２００と回線１００とを非接続状態として、外付電話機２００のノイズがシリコンＤＡＡ５０を介してモデム３０に入らないようにする機能を有している。
【００３７】
外付電話フックアップ検出部６３は、外付電話機２００のフックアップを検知するため、リレー６４と外付電話機２００との間に接続され、外付電話機２００のフックアップを検知したか否かの出力信号を送信するため、フォトカプラ６５を介して、通信制御部２０の外付電話フックアップ判断部２４に接続されている。外付電話フックアップ検出部６３は、回線１００に流れる電流によって動作する。外付電話機２００がフックアップされた場合、第２の直流ループ８２が形成される。
【００３８】
図１は、本発明の実施例１におけるファクシミリ装置のインピーダンス切替部及び直流保持部を示す概略の構成図である。
【００３９】
インピーダンス切替部５５は、スイッチＳＷ０と、スイッチＳＷ１と、スイッチＳＷ２と、スイッチＳＷ３と、スイッチＳＷ４とを有しており、回線電流制御部５４からの指示によって直流保持部６２のインピーダンスを切替える機能を有している。
【００４０】
スイッチＳＷ０は、回線電流制御部５４の出力側に接続されている。スイッチＳＷ０は、回線電流制御部５４からの切替信号によって、一方の１端子と他方の４端子との接続を切替える機能を有している。一方の１端子はグランドに接続されており、他方の４端子はそれぞれスイッチＳＷ１〜ＳＷ４と接続されている。
【００４１】
スイッチＳＷ１は、回線電流制御部５４の出力側に接続されている。スイッチＳＷ１は、回線電流制御部５４からの切替信号によって、一方の１端子と他方の２端子との接続を切替える機能を有している。一方の１端子は、スイッチＳＷ０の４端子のいずれかに接続されており、他方の２端子はそれぞれ選択抵抗７１−１と、選択抵抗７２−１とに接続されている。
【００４２】
スイッチＳＷ２は、回線電流制御部５４の出力側に接続されている。スイッチＳＷ２は、回線電流制御部５４からの切替信号によって、一方の１端子と他方の２端子との接続を切替える機能を有している。一方の１端子は、スイッチＳＷ０の４端子のいずれかに接続されており、他方の２端子はそれぞれ選択抵抗７１−２と、選択抵抗７２−２とに接続されている。
【００４３】
スイッチＳＷ３は、回線電流制御部５４の出力側に接続されている。スイッチＳＷ３は、回線電流制御部５４からの切替信号によって、一方の１端子と他方の２端子との接続を切替える機能を有している。一方の１端子は、スイッチＳＷ０の４端子のいずれかに接続されており、他方の２端子はそれぞれ選択抵抗７１−３と、選択抵抗７２−３とに接続されている。
【００４４】
スイッチＳＷ４は、回線電流制御部５４の出力側に接続されている。スイッチＳＷ４は、回線電流制御部５４からの切替信号によって、一方の１端子と他方の２端子との接続を切替える機能を有している。一方の１端子は、スイッチＳＷ０の４端子のいずれかに接続されており、他方の２端子はそれぞれ選択抵抗７１−４と、選択抵抗７２−４とに接続されている。
【００４５】
直流保持部６２は、選択抵抗７１−１〜７１−４，７２−１〜７２−４と、半導体部７４と、スイッチＳＷ５とを有している。選択抵抗７２−１は、選択抵抗７１−１よりも大きなインピーダンスを有している。同様に、選択抵抗７２−２〜７２−４は、それぞれ選択抵抗７１−２〜７１−４よりも大きなインピーダンスを有している。
【００４６】
スイッチＳＷ５は、直流ループ切替部５３の出力側に接続されている。スイッチＳＷ５は、直流ループ切替部５３からの切替信号によって、一方の１端子と他方の１端子との接続／非接続を切替える機能を有している。一方の１端子は半導体部７４を介して、選択抵抗７１−１〜４，７２−１〜４と並列に接続されており、他方の１端子はダイオードブリッジ６０のプラス端子に接続されている。
【００４７】
これらのスイッチＳＷ０〜スイッチＳＷ５の接続状態に応じて、直流保持部６２の特性は以下のようになる。
【００４８】
スイッチＳＷ５が接続状態で、スイッチＳＷ０がスイッチＳＷ１と接続され、且つ、スイッチＳＷ１が選択抵抗７１−１と接続されているとき、直流保持部６２のインピーダンスは、選択抵抗７１−１と半導体部７４との和となる。スイッチＳＷ５が接続状態で、スイッチＳＷ０がスイッチＳＷ１と接続され、且つ、スイッチＳＷ１が選択抵抗７２−１と接続されているとき、直流保持部６２のインピーダンスは、選択抵抗７２−１と半導体部７４との和となり、選択抵抗７１−１が選択されているときよりもインピーダンスは大きくなる。
【００４９】
スイッチＳＷ５が接続状態で、スイッチＳＷ０がスイッチＳＷ２と接続され、且つ、スイッチＳＷ２が選択抵抗７１−２と接続されているとき、直流保持部６２のインピーダンスは、選択抵抗７１−２と半導体部７４との和となる。スイッチＳＷ５が接続状態で、スイッチＳＷ０がスイッチＳＷ２と接続され、且つ、スイッチＳＷ２が選択抵抗７２−２と接続されているとき、直流保持部６２のインピーダンスは、選択抵抗７２−２と半導体部７４との和となり、選択抵抗７１−２が選択されているときよりもインピーダンスは大きくなる。
【００５０】
スイッチＳＷ５が接続状態で、スイッチＳＷ０がスイッチＳＷ３と接続され、且つ、スイッチＳＷ３が選択抵抗７１−３と接続されているとき、直流保持部６２のインピーダンスは、選択抵抗７１−３と半導体部７４との和となる。スイッチＳＷ５が接続状態で、スイッチＳＷ０がスイッチＳＷ３と接続され、且つ、スイッチＳＷ３が選択抵抗７２−３と接続されているとき、直流保持部６２のインピーダンスは、選択抵抗７２−３と半導体部７４との和となり、選択抵抗７１−３が選択されているときよりもインピーダンスは大きくなる。
【００５１】
スイッチＳＷ５が接続状態で、スイッチＳＷ０がスイッチＳＷ４と接続され、且つ、スイッチＳＷ４が選択抵抗７１−４と接続されているとき、直流保持部６２のインピーダンスは、選択抵抗７１−４と半導体部７４との和となる。スイッチＳＷ５が接続状態で、スイッチＳＷ０がスイッチＳＷ４と接続され、且つ、スイッチＳＷ４が選択抵抗７２−４と接続されているとき、直流保持部６２のインピーダンスは、選択抵抗７２−４と半導体部７４との和となり、選択抵抗７１−４が選択されているときよりもインピーダンスは大きくなる。
【００５２】
スイッチＳＷ５が非接続状態のとき、直流保持部６２のインピーダンスは無限大となり、直流は流れなくなる。
【００５３】
直流保持部６２のインピーダンスは、インピーダンス切替部５５の接続状態に応じて決定される。直流保持部６２のインピーダンスは、直流保持部６２の半導体部７４によって非線形の特性となる。
【００５４】
図４は、選択抵抗７１−１，７２−１の場合の直流保持部の特性を示す図である。
【００５５】
図４の横軸は直流保持部６２に流れる電流を示し、縦軸は直流保持部６２に発生する電圧を示す。プロットは、それぞれ選択抵抗７１−１に切替えた場合と、選択抵抗７２−１に切替えた場合における直流保持部６２の特性を示している。選択抵抗７２−１の方が選択抵抗７１−１よりもインピーダンスが大きく、よって同一電流値における電圧値が高いことを示している。
【００５６】
図５は、選択抵抗７１−２，７２−２の場合の直流保持部の特性を示す図である。
【００５７】
図５の横軸は直流保持部６２に流れる電流を示し、縦軸は直流保持部６２に発生する電圧を示す。プロットは、それぞれ選択抵抗７１−２に切替えた場合と、選択抵抗７２−２に切替えた場合における直流保持部６２の特性を示しており、選択抵抗７２−２の方が選択抵抗７１−２よりもインピーダンスが大きく、よって同一電流値における電圧値が高いことを示している。
【００５８】
図６は、選択抵抗７１−３，７２−３の場合の直流保持部の特性を示す図である。
【００５９】
図６の横軸は直流保持部６２に流れる電流を示し、縦軸は直流保持部６２に発生する電圧を示す。プロットは、それぞれ選択抵抗７１−３に切替えた場合と、選択抵抗７２−３に切替えた場合における直流保持部６２の特性を示しており、選択抵抗７２−３の方が選択抵抗７１−３よりもインピーダンスが大きく、よって同一電流値における電圧値が高いことを示している。
【００６０】
図７は、選択抵抗７１−４，７２−４の場合の直流保持部の特性を示す図である。
図７の横軸は直流保持部６２に流れる電流を示し、縦軸は直流保持部６２に発生する電圧を示す。プロットは、それぞれ選択抵抗７１−４に切替えた場合と、選択抵抗７２−４に切替えた場合における直流保持部６２の特性を示しており、選択抵抗７２−４の方が選択抵抗７１−４よりもインピーダンスが大きく、よって同一電流値における電圧値が高いことを示している。
【００６１】
図８は、図３の回線制御部における第１の直流ループを示す図である。
直流ループ切替部５３の指示によって直流保持部６２のスイッチＳＷ５が閉じられると、回線１００は、ダイオードブリッジ６０を介して直流保持部６２に流れ、第１の直流ループ８１を形成する。この第１の直流ループ８１によって、回線１００に電流を保持することができる。
【００６２】
図９は、図３の回線制御部における第１の直流ループと第２の直流ループを示す図である。
【００６３】
外付電話機２００がフックアップされることにより、外付電話機２００と回線１００とが接続され、リレー６４と外付電話フックアップ検出部６３を介して回線１００が第２の直流ループ８２を形成する。外付電話フックアップ検出部６３は、この第２の直流ループ８２を流れる電流を検知することによって、外付電話機２００がフックアップされたか否かを検出する。
【００６４】
（実施例１の動作）
図１０は、本発明の実施例１におけるタイムチャートを示す図である。
【００６５】
図１０の横方向はタイミングを時系列で示し、縦方向はタイミングの主体を列挙して示している。なお、タイミングの幅は時系列の順番のみを示しており、タイミングの幅は時間の長さと対応していない。
【００６６】
タイミングＴ１において、回線網１０１に接続されている図示しない相手側の通信端末から、回線１００を介してリング信号１１０が送信される。タイミングＴ２において、シリコンＤＡＡ５０内のリング検出部５２にリング信号１１０が入力される。タイミングＴ３において、通信制御部２０のリング検出判断部２３に、リング検出部５２の出力信号が入力され、リング信号１１０として正常であるか否かを判断する。
【００６７】
タイミングＴ４において、リング検出判断部２３がリング信号１１０として正常であると判断したら、タイミングＴ５において、直流ループ切替部５３は、スイッチＳＷ５を閉じるように直流保持部６２を制御する。タイミングＴ６において、外線電話機２００のフックアッップを検出するため、図８に示す第１の直流ループ８１が形成されると共に、タイマ２７がスタートする。
【００６８】
タイミングＴ７において、通信制御部２０の図示しない疑似リングバックトーン送出部は、モデム３０とシリコンＤＡＡ５０を介して疑似リングバックトーン１１１を回線１００に送信する。この疑似リングバックトーン１１１は、相手側の通信端末に送出されて無音をなくし、あたかも呼び出し中であるかのようにする。
【００６９】
タイミングＴ８において、タイマ２７がタイムアウトすると、タイミングＴ９において、回線直流抵抗値保持部２１は、インピーダンス切替部５５が選択抵抗７１−１〜７１−４のいずれを用いているかを回線直流抵抗値決定部２２に通知する。
【００７０】
タイミングＴ１０において、回線直流抵抗値決定部２２は、回線直流抵抗値保持部２１から通知された情報に基づき、更に高いインピーダンスに切替えるために選択抵抗７２−１〜７２−４のいずれかを選択するように回線電流制御部５４に通知する。
【００７１】
タイミングＴ１１において、回線電流制御部５４は、インピーダンス切替部５５に、選択抵抗７２−１〜７２−４のいずれかへの切替えを指示する。
【００７２】
タイミングＴ１２において、インピーダンス切替部５５は、スイッチＳＷ１〜ＳＷ４を切替えることにより、選択抵抗７１−１〜７１−４から選択抵抗７２−１〜７２−４への切替えを行う。直流保持部６２は、インピーダンス特性が大きいものに切替わる。
【００７３】
タイミングＴ１３において、通信制御部２０は、ソフトリンガ１１２の鳴動を開始する。ソフトリンガ１１２は、装置本体が持つスピーカやブザー等を鳴動させることをいう。ソフトリンガ１１２は、ユーザに外付電話機２００のフックアップを促すものである。
【００７４】
タイミングＴ１４において、外付電話機２００がフックアップされると、タイミングＴ１５において、図９に示す第２の直流ループ８２が形成され、タイミングＴ１６において、外付電話フックアップ検出部６３は、外付電話機２００のフックアップを検出する。
【００７５】
タイミングＴ１７において、外付電話フックアップ判断部２４は、外付電話機２００がフックアップされたか否かを判断する。外付電話機２００がフックアップされたと判断したら、タイミングＴ１８において、外付電話フックアップ判断部２４は、直流ループ切替部５３にスイッチＳＷ５を開くよう指示する。タイミングＴ１９において、直流ループ切替部５３は、直流保持部６２の直流を切断する。タイミングＴ２０において、第１の直流ループ８１は切断される。
【００７６】
図１１は、本発明の実施例１におけるファクシミリ装置の通信制御部の動作を示すフローチャートである。
【００７７】
処理が開始すると、通信制御部２０は、ステップＳ１において、リング信号１１０を検出するまで待つ。ステップＳ２において、リング信号１１０が正常であるか否かを判断する。正常でないならばエラーとして図１１の処理を終了する。
【００７８】
通信制御部２０は、ステップＳ３において直流保持部６２を接続し、ステップＳ４においてタイマ２７のカウントを開始し、ステップＳ５において一定周期で疑似リングバックトーン１１１を送信するよう制御する。
【００７９】
通信制御部２０は、ステップＳ６において、フックアップされたか否かを判断し、フックアップされたならばステップＳ１２の処理を行う。ステップＳ７においてタイマ２７がタイムアウトしたか否かを判断し、タイムアウトしていなかったならばステップＳ６の処理に戻る。
【００８０】
通信制御部２０は、ステップＳ８において、回線１００の直流特性に対応した値を設定値として、ステップＳ９において、この値をインピーダンス切替部５５に指示し、ステップＳ１０において、一定周期のソフトリンガ１１２の鳴動を開始する。
【００８１】
ステップＳ１１において、通信制御部２０は、外付電話機２００がフックアップされるまで待つ。外付電話機２００がフックアップされたならば、ステップＳ１２において、直流保持部６２の直流を切断し、図１１の処理を終了する。
【００８２】
（実施例１の効果）
本実施例１のファクシミリ装置１０によれば、次の（Ａ）のような効果がある。
【００８３】
（Ａ）  リング信号１１０の検出後、一定時間が経過しても外付電話機２００のフックアップが検出されなかったならば、直流保持部６２のインピーダンスを上げる。これにより、回線１００の電流が少ない場合においても、外付電話機２００のフックアップを確実に検出できる。
【実施例２】
【００８４】
（実施例２の構成）
図１２は、本発明の実施例２におけるファクシミリ装置の回線制御部を示す概略の構成図であり、実施例１を示す図３中の要素と共通の要素には共通の符号が付されている。
【００８５】
本実施例２のファクシミリ装置１０Ａの回線制御部１１Ａは、図３中の実施例１の回線制御部１１と異なる通信制御部２０ＡとシリコンＤＡＡ５０Ａと直流保持部６２Ａとを有している他は、実施例１の回線制御部１１と同様である。
【００８６】
本実施例２のシリコンＤＡＡ５０Ａは、図３中の実施例１のシリコンＤＡＡ５０とは異なるインピーダンス切替部５５Ａを有しているほか、更に、直流保持部６２Ａに発生する直流電圧を監視する回線電圧監視部５６を有している。
【００８７】
回線電圧監視部５６は、直流保持部６２Ａの出力側とＩ／Ｆ５１に接続されている。回線電圧監視部５６は、直流保持部６２Ａの直流電圧を監視し、絶縁受渡部４０とモデム３０を介して、回線電圧取得部２５に送信する。
【００８８】
本実施例２の通信制御部２０Ａは、図３中の実施例１の通信制御部２０に加えて、直流保持部６２Ａに発生する直流電圧を取得する回線電圧取得部２５と、直流保持部６２Ａのインピーダンス特性と直流電圧から電流を算出し、この電流が規格に適合しているか否かを判断する回線規格判断部２６を有している。
【００８９】
回線電圧取得部２５は、リング検出判断部２３の出力側とモデム３０の制御Ｉ／Ｆ３１に接続されている。回線電圧取得部２５の出力側は、回線規格判断部２６に接続されている。回線電圧取得部２５は、モデム３０を介して回線電圧監視部５６が監視した直流保持部６２Ａの直流電圧を受信する。
【００９０】
回線規格判断部２６は、回線直流抵抗値保持部２１と回線電圧取得部２５の出力側に接続されており、回線規格判断部２６の出力側は、回線直流抵抗値決定部２２に接続されている。回線規格判断部２６は、回線直流抵抗値保持部２１から選択抵抗７１−１、選択抵抗７１−２、選択抵抗７１−３、又は選択抵抗７１−４のいずれが使用されているかを取得して直流保持部６２Ａのインピーダンス特性を判断すると共に、回線電圧取得部２５から直流保持部６２Ａの直流電圧を取得する。この直流保持部６２Ａのインピーダンス特性と直流電圧に基づいて、回線１００に流れる電流を算出し、回線電流の規格値下限と比較する。
【００９１】
図１３は、図１２のインピーダンス切替部と直流保持部を示す概略の構成図であり、実施例１を示す図１中の要素と共通の要素には共通の符号が付されている。
【００９２】
本実施例２のインピーダンス切替部５５Ａは、図１中の実施例１のインピーダンス切替部５５のスイッチＳＷ１〜ＳＷ４とは異なるスイッチＳＷ１Ａ〜ＳＷ４Ａを備えているほかは、実施例１のインピーダンス切替部５５と同様である。
【００９３】
スイッチＳＷ１Ａは、回線電流制御部５４からの切替信号によって、一方の１端子と他方の３端子との接続を切替える機能を有している。一方の１端子は、スイッチＳＷ０の４端子のいずれかに接続されており、他方の３端子はそれぞれ選択抵抗７１−１と、選択抵抗７２−１と、選択抵抗７３−１に接続されている。
【００９４】
スイッチＳＷ２Ａは、回線電流制御部５４からの切替信号によって、一方の１端子と他方の３端子との接続を切替える機能を有している。一方の１端子は、スイッチＳＷ０の４端子のいずれかに接続されており、他方の３端子はそれぞれ選択抵抗７１−２と、選択抵抗７２−２と、選択抵抗７３−２に接続されている。
【００９５】
スイッチＳＷ３Ａは、回線電流制御部５４からの切替信号によって、一方の１端子と他方の３端子との接続を切替える機能を有している。一方の１端子は、スイッチＳＷ０の４端子のいずれかに接続されており、他方の３端子はそれぞれ選択抵抗７１−３と、選択抵抗７２−３と、選択抵抗７３−３に接続されている。
【００９６】
スイッチＳＷ４Ａは、回線電流制御部５４からの切替信号によって、一方の１端子と他方の３端子との接続を切替える機能を有している。一方の１端子は、スイッチＳＷ０の４端子のいずれかに接続されており、他方の３端子はそれぞれ選択抵抗７１−４と、選択抵抗７２−４と、選択抵抗７３−４に接続されている。
【００９７】
本実施例２の直流保持部６２Ａは、実施例１の直流保持部６２と同様に、選択抵抗７１−１〜７１−４，７２−１〜７２−４と、半導体部７４と、スイッチＳＷ５とを有し、更に、選択抵抗７３−１〜７３−４を有している。選択抵抗７３−１〜７３−４は、それぞれ選択抵抗７２−１〜７２−４よりも大きなインピーダンスを有しており、インピーダンス切替部５５ＡのスイッチＳＷ１Ａ〜ＳＷ４Ａの３端子のいずれかと、半導体部７４との間に接続されている。
【００９８】
図１４は、選択抵抗７１−１〜７３−１の場合の直流保持部の特性を示す図である。
図１４の横軸は直流保持部６２Ａに流される電流を示し、縦軸は直流保持部６２Ａに発生する電圧を示す。プロットは、上から順に選択抵抗７３−１、回線規格の上限の直流抵抗、選択抵抗７２−１，７１−１に切替えた場合における直流保持部６２Ａの特性を示している。縦の破線は、回線電流の規格値下限を示している。選択抵抗７１−１が選択され、直流保持部６２Ａに電圧Ｖ１が発生している場合において、直流保持部６２Ａには電流Ｉ１が流れていることと、電流Ｉ１は回線電流の規格値下限よりも少ないことを示している。
【００９９】
選択抵抗７２−１に切替えた方が選択抵抗７１−１よりもインピーダンスが大きく、回線規格の上限の方が選択抵抗７２−１よりもインピーダンスが大きく、且つ選択抵抗７３−１に切替えた方が回線規格の上限よりもインピーダンスが大きい。よって、直流保持部６２Ａに発生する電圧値は、選択抵抗７２−１に切替えた方が選択抵抗７１−１に切替えたよりも高く、選択抵抗７３−１に切替えた方が更に高いことを示している。
【０１００】
図１５は、選択抵抗７１−２〜７３−２の場合の直流保持部の特性を示す図である。
【０１０１】
図１５の横軸は直流保持部６２Ａに流される電流を示し、縦軸は直流保持部６２Ａに発生する電圧を示す。プロットは、上から順に選択抵抗７３−２、回線規格の上限の直流抵抗、選択抵抗７２−２，７１−２に切替えた場合における直流保持部６２Ａの特性を示している。縦の破線は、回線電流の規格値下限を示している。選択抵抗７１−２が選択され、直流保持部６２Ａに電圧Ｖ２が発生している場合において、直流保持部６２Ａには電流Ｉ２が流れていることと、電流Ｉ２は回線電流の規格値下限よりも少ないことを示している。
【０１０２】
選択抵抗７２−２に切替えた方が選択抵抗７１−２よりもインピーダンスが大きく、回線規格の上限の方が選択抵抗７２−２よりもインピーダンスが大きく、且つ選択抵抗７３−２に切替えた方が回線規格の上限よりもインピーダンスが大きい。よって、直流保持部６２Ａに発生する電圧値は、選択抵抗７２−２に切替えた方が選択抵抗７１−２に切替えたよりも高く、選択抵抗７３−２に切替えた方が更に高いことを示している。
【０１０３】
図１６は、選択抵抗７１−３〜７３−３の場合の直流保持部の特性を示す図である。
図１６の横軸は直流保持部６２Ａに流される電流を示し、縦軸は直流保持部６２Ａに発生する電圧を示す。プロットは、上から順に選択抵抗７３−３、回線規格の上限の直流抵抗、選択抵抗７２−３，７１−３に切替えた場合における直流保持部６２Ａの特性を示している。
【０１０４】
縦の破線は、回線電流の規格値下限を示している。選択抵抗７１−３が選択され、直流保持部６２Ａに電圧Ｖ３が発生している場合において、直流保持部６２Ａには電流Ｉ３が流れていることと、電流Ｉ３は回線電流の規格値下限よりも少ないことを示している。
【０１０５】
選択抵抗７２−３に切替えた方が選択抵抗７１−３よりもインピーダンスが大きく、回線規格の上限の方が選択抵抗７２−３よりもインピーダンスが大きく、且つ選択抵抗７３−３に切替えた方が回線規格の上限よりもインピーダンスが大きい。よって、直流保持部６２Ａに発生する電圧値は、選択抵抗７２−３に切替えた方が選択抵抗７１−３に切替えたよりも高く、選択抵抗７３−３に切替えた方が更に高いことを示している。
【０１０６】
図１７は、選択抵抗７１−４〜７３−４の場合の直流保持部の特性を示す図である。
図１７の横軸は直流保持部６２Ａに流される電流を示し、縦軸は直流保持部６２Ａに発生する電圧を示す。プロットは、上から順に選択抵抗７３−４、回線規格の上限の直流抵抗、選択抵抗７２−４，７１−４に切替えた場合における直流保持部６２Ａの特性を示している。
【０１０７】
縦の破線は、回線電流の規格値下限を示している。選択抵抗７１−４が選択され、直流保持部６２Ａに電圧Ｖ４が発生している場合において、直流保持部６２Ａには電流Ｉ４が流れていることと、電流Ｉ４は回線電流の規格値下限よりも少ないことを示している。
【０１０８】
選択抵抗７２−４に切替えた方が選択抵抗７１−４よりもインピーダンスが大きく、回線規格の上限の方が選択抵抗７２−４よりもインピーダンスが大きく、且つ選択抵抗７３−４に切替えた方が回線規格の上限よりもインピーダンスが大きい。よって、直流保持部６２Ａに発生する電圧値は、選択抵抗７２−４に切替えた方が選択抵抗７１−４に切替えたよりも高く、選択抵抗７３−４に切替えた方が更に高いことを示している。
【０１０９】
（実施例２の動作）
図１８は、本発明の実施例２におけるタイムチャートを示す図であり、実施例１を示す図１０中の要素と共通の要素には共通の符号が付されている。
【０１１０】
本実施例２の図１８では、実施例１を示す図１０と同様に、横方向はタイミングを時系列で示し、縦方向はタイミングの主体を列挙して示している。なお、タイミングの幅は時系列の順番のみを示しており、タイミングの幅は時間の長さと対応していない。
【０１１１】
本実施例２におけるタイミングＴ１〜Ｔ６の処理は、実施例１を示す図１０の処理と同一である。
【０１１２】
タイミングｔ７において、通信制御部２０Ａの図示しない疑似リングバックトーン送出部は、モデム３０とシリコンＤＡＡ５０Ａを介して疑似リングバックトーン１１１を回線１００に送信する。この疑似リングバックトーン１１１は、相手側の通信端末に送出されて無音をなくし、あたかも呼び出し中であるかのようにするものである。更に、回線電圧取得部２５は、モデム３０とシリコンＤＡＡ５０Ａとを介して、回線電圧監視部５６に対し、直流保持部６２Ａの直流電圧を取得するように指示する。
【０１１３】
タイミングｔ８において、回線電圧監視部５６は、直流保持部６２Ａに発生している直流電圧を取得し、タイミングｔ９において、直流保持部６２Ａに発生している直流電圧を回線電圧取得部２５に通知し、タイミングｔ１０において、回線電圧取得部２５は、直流保持部６２Ａの直流電圧を回線規格判断部２６に通知する。
【０１１４】
タイミングｔ１１において、回線規格判断部２６は、回線直流抵抗値保持部２１に、直流保持部６２Ａが使用している抵抗を問い合わせ、タイミングｔ１２において、回線直流抵抗値保持部２１は、直流保持部６２Ａが使用している抵抗を回線規格判断部２６に通知する。
【０１１５】
タイミングＴ８において、タイマ２７がタイムアウトすると、タイミングｔ１３において、回線規格判断部２６は、直流保持部６２Ａの直流電圧とインピーダンス特性から回線１００に流れる電流値を算出し、回線規格の下限の電流値と比較する。回線規格の下限の電流値よりも低い場合には、選択抵抗７３−１〜７３−４のいずれか１つを使用して、直流保持部６２Ａのインピーダンスを回線規格の上限以上とするように指示する。
【０１１６】
以降、タイミングＴ９〜Ｔ２０の処理は、実施例１の処理と同様である。
図１９は、本発明の実施例２におけるファクシミリ装置の通信制御部の動作を示すフローチャートであり、実施例１を示す図１１中の要素と共通の要素には共通の符号が付されている。
【０１１７】
処理が開始したのち、ステップＳ１〜Ｓ５の処理は実施例１と同様の処理を行う。ステップＳ５の処理が完了すると、ステップＳ２０において、通信制御部２０Ａは、直流保持部６２Ａの直流電圧を取得する。その後、ステップＳ６，Ｓ７の処理は実施例１と同様である。
【０１１８】
ステップＳ２１において、通信制御部２０Ａは、直流保持部６２Ａの直流電圧とインピーダンス特性から回線１００に流れる電流値を算出し、回線規格の下限の電流値と比較する。回線規格の下限の電流値よりも低いと判断したならば、ステップＳ２２において、選択抵抗７３−１〜７３−４のいずれか１つを使用し、直流保持部６２Ａのインピーダンスを回線規格の上限以上とするように指示する。以降、実施例１と同様にステップＳ８〜Ｓ１２の処理をおこない、図１９の処理を終了する。
【０１１９】
（実施例２の効果）
本実施例２のファクシミリ装置１０Ａによれば、実施例１の効果に加えて、更に次の（Ｂ）のような効果がある。
【０１２０】
（Ｂ）  リング信号１１０の検出後、一定時間が経過しても外付電話機２００のフックアップが検出されず、且つ回線１００の電流値が規格よりも少なかったならば、直流保持部６２Ａのインピーダンスを回線規格の上限以上とする。これにより、回線１００の電流が少ない場合においても、外付電話機２００のフックアップを確実に検出できる。
【０１２１】
（変形例）
本発明は、上記実施例に限定されず、種々の利用形態や変形が可能である。この利用形態や変形例としては、例えば、次の（ａ），（ｂ）のようなものがある。
【０１２２】
（ａ）  実施例１、実施例２のファクシミリ装置１０，１０Ａは、単機能ファクシミリやＭＦＰ等に限定されず、ネットワークを介してスキャナとプリンタとが接続されている複合システムにも適用可能である。
【０１２３】
（ｂ）  実施例２のファクシミリ装置１０Ａでは、直流保持部６２Ａの直流電圧とインピーダンス特性から電流値を求めて回線規格の下限の電流値と比較したが、インピーダンス特性と回線規格の下限の電流値から、回線規格の下限の電流値に対応する電圧値を予め算出し、直流保持部６２Ａの直流電圧と比較してもよい。
【符号の説明】
【０１２４】
１０，１０Ａ  ファクシミリ装置
１１，１１Ａ  回線制御部
２００  外付電話機
２０，２０Ａ  通信制御部
２１  回線直流抵抗値保持部
２２  回線直流抵抗値決定部
２３  リング検出判断部
２４  外付電話フックアップ判断部
２５  回線電圧取得部
２６  回線規格判断部
２７  タイマ
５５，５５Ａ  インピーダンス切替部
５６  回線電圧監視部
６０  ダイオードブリッジ
６２，６２Ａ  直流保持部
６３  外付電話フックアップ検出部
６４  リレー
６５  フォトカプラ
８１  第１の直流ループ
８２  第２の直流ループ
７１，７２，７３  選択抵抗
７４  半導体部
【図１】
0005489840.tif 000002
【図２】
0005489840.tif 000003
【図３】
0005489840.tif 000004
【図４】
0005489840.tif 000005
【図５】
0005489840.tif 000006
【図６】
0005489840.tif 000007
【図７】
0005489840.tif 000008
【図８】
0005489840.tif 000009
【図９】
0005489840.tif 000010
【図１０】
0005489840.tif 000011
【図１１】
0005489840.tif 000012
【図１２】
0005489840.tif 000013
【図１３】
0005489840.tif 000014
【図１４】
0005489840.tif 000015
【図１５】
0005489840.tif 000016
【図１６】
0005489840.tif 000017
【図１７】
0005489840.tif 000018
【図１８】
0005489840.tif 000019
【図１９】
0005489840.tif 000020